(57)【要約】    【課題】  上階と下階の床仕様を同一にでき、しかも施工性、遮音性能に優れる床構造を提供する。    【解決手段】床下地に敷設された床シートと、該床シート上に固着された床仕上材とを具え、前記床シートは、その上面に突起体が多数形成されるとともに、前記床仕上材は、その下面に凹部を有し、前記床仕上材は、その凹部を前記床シートの突起体に嵌合することにより固着され、前記床シートは、クッション性能、遮音性能を高めるため弾性材を用いて形成され、前記突起体は、クッション性能、遮音性能を高めるための中空部を有し、前記床下地は、複数の床パネルにより形成されるとともに、前記床シートは、隣接する床パネルの接続部を覆って敷設されることを特徴とする。【選択図】  図１
2005264562.tif 000002
【特許請求の範囲】
【請求項１】
床下地に敷設された床シートと、該床シート上に固着された床仕上材とを具え、
前記床シートは、その上面に突起体が多数形成されるとともに、前記床仕上材は、その下面に凹部を有し、
前記床仕上材は、その凹部を前記床シートの突起体に嵌合することにより固着されたことを特徴とする床構造。 
【請求項２】
前記床シートは、クッション性能、遮音性能を高めるため弾性材を用いて形成されたことを特徴とする請求項１記載の床構造。
【請求項３】
前記突起体は、クッション性能、遮音性能を高めるための中空部を有することを特徴とする請求項１又は２記載の床構造。
【請求項４】
前記床下地は、複数の床パネルにより形成されるとともに、
前記床シートは、隣接する床パネルの接続部を覆って敷設されることを特徴とする請求項１〜３のいずれかに記載の床構造。
【発明の詳細な説明】
【技術分野】
【０００１】
本発明は、上階と下階の床仕様を同一にでき、しかも施工性、遮音性能に優れる床構造に関する。
【背景技術】
【０００２】
従来の床構造は、上階においては、図６（Ａ）に示すように、床遮音性確保のため、床仕上材ａ２と床下地ｂの間に、ポリエチレンフォーム、ポリウレタンフォームなどを用いた遮音層ｃを設けている。他方１階においては、図６（Ｂ）に示すように、高レベルの遮音層ｃを必要としないため、床下地ｂ上に床仕上材ａ１を直接敷設している。
【発明の開示】
【発明が解決しようとする課題】
【０００３】
そして、１階と上階の床厚さ寸法を揃えるため、上階に使用する床仕上材ａ２の厚さｔ１は、１階に使用する床仕上材ａ１の厚さｔ３よりも、前記遮音層ｃの厚さｔ２分薄く形成されたものを用いる結果、厚さの異なる床仕上材ａ１、ａ２が二種類必要となり、生産性が悪く、施工の管理が煩雑になるなどの問題があった。
【０００４】
また従来の床構造の施工に際しては、床仕上材のさねの基部から床下地に向けて釘を打ち込んで該床仕上材を床下地に固着し、次いでこれに隣接する床仕上材の凹部を前記さねに嵌合しさね矧ぎを形成することにより相方の床仕上材の一端を固着し、そして前記と同様、他端のさねの基部から床下地に釘を打ち込むことにより、床仕上材を順次固着している。またこのほか、専用の取付金具を用いて床仕上材を固着することも行われている（例えば、特許文献１参照）。
【０００５】
【特許文献１】特開２０００−１４５１０５号公報
【０００６】
しかしながら、前記さね矧ぎによる床仕上材の取り付け施工は、床仕上材毎に位置決めをした後、釘打ちにより固着する必要があり、施工能率が悪く、しかも床仕上材は、その製造の際さね加工を行う工程を含むため、生産性と、材料の歩留まりが悪いという問題がある。また専用の取付金具を用いた床構造では、取付強度は確保できるものの、施工能率が低下し、コストが高くなる。
【０００７】
本発明は、前記した床構造が有する問題点を解消し、上階と下階の床仕様を同一にでき、しかも施工性、遮音性能に優れる床構造の提供を課題としている。
【課題を解決するための手段】
【０００８】
前記目的を達成するために、請求項１記載の発明は、床下地に敷設された床シートと、該床シート上に固着された床仕上材とを具え、前記床シートは、その上面に突起体が多数形成されるとともに、前記床仕上材は、その下面に凹部を有し、前記床仕上材は、その凹部を前記床シートの突起体に嵌合することにより固着されたことを特徴とする。
【０００９】
また請求項２記載の発明は、前記床シートは、クッション性能、遮音性能を高めるため弾性材を用いて形成されたことを特徴とする請求項１記載の床構造である。
【００１０】
また請求項３記載の発明は、前記突起体は、クッション性能、遮音性能を高めるための中空部を有することを特徴とする請求項１又は２記載の床構造である。
【００１１】
また請求項４記載の発明は、前記床下地は、複数の床パネルにより形成されるとともに、前記床シートは、隣接する床パネルの接続部を覆って敷設されることを特徴とする請求項１〜３のいずれかに記載の床構造である。
【発明の効果】
【００１２】
本発明は叙上の如く構成しているため、床下地と床仕上材間が床シートにより遮断されるとともに、床シートの突起体と床仕上材の凹部とが嵌合されることにより床仕上材が隙間無く固着され、これにより床の遮音性能が確保される。従って、上階の床に別途遮音層を設ける必要がなく、１階と上階の床を同じ構造とすることができるため、床構成部材の種類が減り、部材の生産性と、床施工能率が向上でき、コストダウン、性能品質の安定が図れる。しかも、床仕上材のさね加工が不要となるため、生産能率、材料の歩留まりが向上する。また、床シートの突起体と床仕上材の凹部との嵌合により、床仕上材が取付けることができるため、取付作業に熟練が不要となり、施工能率と、床性能品質が向上する。  
【００１３】
また請求項２記載の発明のように、前記床シートは、クッション性能、遮音性能を高めるため弾性材を用いて形成し、また請求項３記載の発明のように、前記突起体は、クッション性能、遮音性能を高めるための中空部を設けると、床遮音性能の水準が更に向上し、居住性能を高めることができる。
【００１４】
また請求項４記載の発明のように、前記床下地は、複数の床パネルにより形成されるとともに、前記床シートは、隣接する床パネルの接合部を覆って敷設される場合、地震、交通振動、風荷重などが原因で、前記複数の床パネルが相互に動き、前記床パネルの接合部で、段差、隙間、ズレなどが生じても、これらの動きが床シートで押えられ、或いは段差、ズレなどが吸収されるため、床仕上に割れ、反りなどが発生しない。
【発明を実施するための最良の形態】
【００１５】
以下、本発明の実施の一形態を、図示例とともに説明する。図１は本発明の床構造１を示す一部切り欠き斜視図、図２はその要部拡大斜視図である。本発明の床構造１は、床下地２に敷設した床シートＳと、この床シートＳに固着された床仕上材３とを具える。
【００１６】
前記床下地２は、本形態では、複数の床パネル８により形成されたものが例示される。前記床パネル８は、図１に示すように、断面矩形の木質かつ長尺の平行な一対の縦枠２１、２１の両端間に、断面矩形の木質かつ短尺の横枠２２、２２を架け渡した矩形のパネル枠２３を具える。
【００１７】
なお同高に形成された縦枠２１と横枠２２は、各上面を揃えて縦枠２１の側縁から打入される釘等の固着具により接合される。このようにいわゆる横枠２２に対して縦枠２１勝ちの構成とすることにより、仮枠組みと一定方向の釘打ちによる固着作業を簡易化しうる。
【００１８】
さらに、横枠２２、２２の長さ方向中間部は、縦枠２１と平行かつ長尺の中枠２４により連結されるとともに、縦枠２１と中枠２４間には前記横枠２２に平行な短尺の補助材２５が隔設され、この中枠２４と補助材２５によって前記パネル枠２３を補強している。
【００１９】
前記パネル枠２３の上面には、合板、パーティクルボード、押出セメント板、ハニカム補強鋼製パネル等を用いた矩形状の面材２６が接着、ビス打ちその他で添着される。なお面材２６はパネル枠２３と同大に形成され、面材２６、パネル枠２３の外周側面は面一に揃う。
【００２０】
またパネル枠２３内の空間に、断熱機能を高めるため、矩形状のグラスウール、ロックウール、発泡フェノール、発泡ポリエチレン、発泡ポリスチレン等の断熱材２７を装填し、この他床暖房用の温水管を配設することもある。
【００２１】
前記床パネル８は、布基礎２８に端部を支持される鋼製の大引２９に載置し、かつボルト、取付金具等を用いて固着される。そして、平面矩形状の複数の床パネル８を、縦横隙間無く連続敷設することにより、水平な床下地２が形成される。前記大引き２９は、リップ付き溝形鋼を用いて形成され、両端部が布基礎２８に埋設されたアンカーボルト（図示せず）に固着した取付金具３０により取付けられる。また、大引き２９は床パネル８の長さと略同ピッチで隔設され、床パネル８の両端部を支持する。
【００２２】
なお、床下地２は、床パネル８により構成されるほか、床梁、土台間に架設された大引きの上に互いに平行な根太を複数隔設し、その根太の上に合板などの面材を固着して形成することもでき、また、ＲＣ造では、コンクリートスラブ上に形成された木組みと、該木組みの上に敷設された合板とで床下地２を構成する。
【００２３】
前記床シートＳは、本形態では、基部３１と突起体４とを含み構成されたものを例示している。基部３１は、平面矩形のシート状をなし、その一辺の長さは例えば９００〜１８００ｍｍ程度、好ましくは９００ｍｍ程度、本例では縦はロール状で１００００ｍｍ、横９００ｍｍに形成されたものを用い、またその厚さＴ２は例えば１〜３ｍｍ程度、好ましくは１〜２ｍｍ程度、本例では２ｍｍに形成される。
【００２４】
前記突起体４は、図３（Ｂ）に示すように、前記基部３１の表面に一体に突設され、本形態では、円柱状をなしている。突起体４は、このほか、図５（Ａ）に示すように、直方体状をなすもの、図５（Ｂ）に示すように、短三角柱状をなすものなど各種形状のものを採用することができる。
【００２５】
本形態の突起体４は、図３（Ｂ）、図５（Ａ）、（Ｂ）に示すように、内部に中空部６を設けたものを例示している。突起体４に中空部６を設けると、突起体４がエアクッションとして機能するため、床の緩衝機能を高めることができるとともに、上階床で発生する床振動を吸収する結果、床遮音性能を更に高めることができる点で好ましい。。
【００２６】
また突起体４は、本形態では、図２、図３（Ｂ）に示すように、一定形状のものが、各々等間隔を隔て縦横に並び配置されている。突起体４は等間隔で千鳥状に配置することもできる。突起体４は、相互の間隔Ｐを、例えば３０〜１００ｍｍ程度、好ましくは３０〜５０ｍｍ程度、本例では４０ｍｍにして配置される。前記間隔が１００ｍｍを越えると、床仕上材３の固着強度が不足し、３０ｍｍ未満では、床仕上材３の固着作業の作業性が低下する。
【００２７】
図３（Ｂ）に示すように、床シートＳの最も外側に位置する突起体４は、その外縁との間隔が、前記突起体４相互の間隔Ｐの半分に位置するように形成されるため、連続敷設される床シートＳ, Ｓ間の外縁に位置する突起体４, ４間の間隔は、前記間隔Ｐに等しくなる。その結果、連続して敷設される床シートＳの全ての突起体４が、同じ間隔Ｐを隔て配置される。
【００２８】
突起体４は、その直径Ｄが、例えば１０〜５０ｍｍ程度、好ましくは１０〜３０ｍｍ程度、本例では２０ｍｍに形成されている。直径Ｄは、３０ｍｍを越えると、床仕上材３の固着強度が不足し、１０ｍｍ未満では、床仕上材３の固着強度が不足するとともに床仕上材３の固着作業の作業性が低下する。またその高さＨは、例えば３〜６ｍｍ程度、好ましくは５〜６ｍｍ程度、本例では５ｍｍに形成されている。高さＨが６ｍｍを越えると、これに嵌合する床仕上材３の強度が低下し、３ｍｍ未満では、床仕上材３の固着強度が不足する。
【００２９】
床シートＳは、ポリエチレン、ポリプロピレン、ポリスチレンなどのプラスチック材料を用い、基部３１と突起体４とが一体成形されている。また、オレフィン系、スチレン系その他の熱可塑性エラストマー、エチレン酢酸ビニル共重合樹脂（ＥＶＡ）を含む弾性樹脂、或いはクロロプレンゴム、スチレンブタジエンゴム、ニトリルゴムを含む合成ゴムなど、弾性材を用いて形成すると、床衝撃が弾性で吸収されるため床のクッション性が高まり、上階で発生する床衝撃を吸収緩和して、床遮音性能を更に高めることができる。
【００３０】
前記床シートＳは、ウレタン樹脂系ホットメルト形接着剤、ＥＶＡ樹脂系ホットメルト形接着剤、酢酸ビニル共重合樹脂系エマルジョン形接着剤、変性ビニル系エマルジョン接着剤、ウレタン樹脂系溶剤形接着剤などの接着剤を用いて床下地２の上に固着されている。
【００３１】
また床シートＳは、本形態では、図２に示すように、前記の如く複数の床パネル８を連続敷設して形成した床下地２上に、その床パネル８の接続部７を覆う位置で敷設されたものが例示される。これにより、地震、交通振動、風荷重などよって、床パネルが相対的な動きを発生し、前記床パネルの接続部７で、段差、隙間、ズレなどが生じても、これらの動きが床シートＳによって押えられ、或いは段差、ズレなどが吸収されるため、床仕上に割れ、反りなどが発生しない。
【００３２】
前記床仕上材３は、図１、２に示すように、平面矩形の板状に形成され、その一辺の長さは例えば１５０〜４５０ｍｍ程度、本例では縦横が３００ｍｍ、及び４５０ｍｍであり、またその厚さＴ１は、例えば１２〜１５ｍｍ程度、本例では１２ｍｍである。
【００３３】
また床仕上材３は、その下面に、図３（Ａ）に示すように、前記床シートＳの突起体４と嵌合しうる凹部５が形成されている。なお図３（Ａ）は、下面を上にした床仕上材３を示すものである。該凹部５の形状は、本形態では、前記突起体４の形状に合わせ、円孔状をなし、その開口径は、突起体４と略同じ大きさに形成される。なお、凹部５は、開口縁側を少し大きくしたテーパ孔状に形成すると、突起体４との嵌合操作が容易となる点で好ましい。また、凹部５の開口縁部に傾斜面状の嵌合ガイドを設けることもよい。
【００３４】
前記凹部５の配置は、前記突起体４と同じ配置に形成され、本形態では、図３（Ａ）に示すように、等間隔Ｐ（本形態では、４０ｍｍ）で縦横に並んで配置されている。なお床シートＳの突起体４が千鳥状に配置される場合、床仕上材３の凹部５も、同様に、突起体４と同じ間隔で等間隔に並ぶ千鳥状に配置される。
【００３５】
また図３（Ａ）に示すように、床仕上材３の最も外側に位置する凹部５は、その外縁との間隔が、前記凹部５相互の間隔Ｐの半分に位置するように形成されている。そのため連続して床シートＳに固着された床仕上材３, ３の最も外側に位置する凹部５, ５間の間隔は、前記間隔Ｐに等しくなる。その結果、隣接して固着された床仕上材３, ３は、その間に隙間を生じることがない。
【００３６】
床仕上材３は、図３（Ａ）に示すように、基層３Ｂと該基層３Ｂ上に添着された化粧層３Ａとからなり、前記基層３Ｂは、合板、ＭＤＦ( 中密度繊維板) 、パーティクルボード、集成材などの木質材を用いて形成される。また前記化粧層３Ａは、ポリエチレン、ポリプロピレン、エチレン酢ビ樹脂（ＥＶＡ）などのオレフィン系樹脂、メラミン樹脂、ポリエステル樹脂その他の樹脂シートを添着して形成されるほか、ナラ、サクラ、チーク、ケヤキ、トチ、セン、カバ等の原木を機械的に例えば０．２〜０．６ｍｍ程度の厚さにスライスした突板をメラミン・ユリア共縮合接着剤、フェノール系接着剤、アミノ系接着剤、ユリア系接着剤で接着し、またその上に塗装を施して形成される。この他前記化粧層３Ａは、前記基層３Ｂに化粧板用の化粧紙を接着した上に、不飽和ポリエステル樹脂を塗布して形成し、また基層３Ｂの表面をポリエステル樹脂、ポリウレタン樹脂、アミノアルキド樹脂、アクリル樹脂等で塗装して形成することもよい。
【００３７】
このように床仕上材３は、図１、２に示すように、その凹部５を、床下地に敷設された床シートＳの突起体４に嵌合することにより、隙間なく固着されている。そのため、床下地と床仕上材とが床シートにより遮断され、しかも床シートの突起体と床仕上材の凹部が嵌合し、床仕上材が隙間無く固着され、これにより床の遮音性能が確保される。従って、上階の床に新たな遮音層を別途設ける必要はなく、１階、上階の床を同じ構造とすることができる。その結果床を構成する部材の種類を減じ、部材の生産性、床施工能率を向上し、コストダウン、性能品質の安定が図れる。しかも、床仕上材の固着にさね矧ぎを用いないためさね加工工程が省かれて建築部材の生産性が向上するとともに、床仕上材の取付作業に熟練が不要となり、施工能率と、床性能品質が向上する。
【００３８】
次いで、床構造１を構築する施工方法を説明する。先ず、図１に示すように、複数の床パネル８を、大引き２９に隙間なく固着して床下地２を形成する。次いで、図４（Ａ）に示すように、床下地２上に、前記床シートＳを接着剤により固着する。このとき、床シートＳは、床パネル８の接続部７を跨り、該接続部７を覆う状態で配置する。次いで、図４（Ｂ）（Ｃ）に示すように、前記床シートＳの突起体４に、床仕上材３の凹部５を嵌合することにより、床仕上材３を固着する。そして隣接する床仕上材３を順次連続して床シートＳに固着する。このとき、床仕上材３の最も外側に位置する凹部５は、その外縁との間隔が、前記凹部５相互の間隔Ｐの半分に位置するように形成されているため、隣接する床仕上材３, ３間には隙間を生じることなく、床仕上材３を連続して固着できる。また、前記床仕上材３は、床全体の一端側から他端に向け、順次固着すると、施工能率が向上する点で好ましい。
【００３９】
なお、図１に示すように、前記布基礎２８の上部の断面Ｌ字の長尺の土台３３を介して、矩形状の壁パネル枠３４の両面に内外装板３５、３６を添設した外壁パネル３７が取付けられ、その内装板３５の下端部に、長尺の巾木３８を設け前記床仕上の見切りを形成している。
【図面の簡単な説明】
【００４０】
【図１】本発明の一実施の形態を例示する斜視図である。
【図２】その要部拡大斜視図である。
【図３】（Ａ）は床仕上材の要部斜視図、（Ｂ）は床シートの要部斜視図である。
【図４】（Ａ）〜（Ｃ）は、本発明床構造の施工手順を説明する断面図である。
【図５】（Ａ）、（Ｂ）は、床シートの異なる実施形態を例示する部分斜視図である。
【図６】（Ａ）は従来例の上階の床を例示する断面図であり、（Ｂ）は従来例の１階の床を例示する断面図である。
【符号の説明】
【００４１】
１      床構造
２      床下地
３      床仕上材
４      突起体
５      凹部
６      中空部
７      接続部
８      床パネル
Ｓ      床シート
【図１】
2005264562.tif 000003
【図２】
2005264562.tif 000004
【図３】
2005264562.tif 000005
【図４】
2005264562.tif 000006
【図５】
2005264562.tif 000007
【図６】
2005264562.tif 000008